(57)【要約】      （修正有）【課題】複数の外部接続機器が接続された電子機器において、これらの複数の外部接続機器を迅速かつ正確に、直感的に選択するための電子機器を提供する。【解決手段】電子機器は、表示部１１０に表示された画像の所定の領域に対して所定の処理を関連付ける関連付け情報を記憶するよう構成された記憶部（メモリ）１４０と、前記画像上に表示されるカーソルの移動及び選択の操作を示す操作情報に基づいて画面上の選択位置を示す選択位置情報を検出するよう構成された選択位置検出部（制御部１００）と、選択位置情報及び関連付け情報に基づいて、選択位置に関連付け得られた所定の処理を実行する制御部１００と、を備える。【選択図】図２
2016021140.tif 000002
【特許請求の範囲】
【請求項１】
表示部に表示された画像の所定の領域に対して所定の処理を関連付ける関連付け情報を記憶するよう構成された記憶部と、
前記画像上に表示されるカーソルの移動及び選択の操作を示す操作情報に基づいて該画面上の選択位置を示す選択位置情報を検出するよう構成された選択位置検出部と、
前記選択位置情報及び前記関連付け情報に基づいて、該選択位置に関連付け得られた所定の処理を実行する制御部と、を備える
ことを特徴とする電子機器。
【請求項２】
前記記憶部は、前記画像の所定の領域に対して、所定の機器を起動する処理を関連付けて記憶している
ことを特徴とする請求項１に記載の電子機器。
【請求項３】
前記表示部に表示される前記画像が、該表示部を備える電子機器が配置された部屋の写真である
ことを特徴とする請求項１または請求項２に記載の電子機器。
【請求項４】
前記表示部に表示される前記画像が、該表示部を備える電子機器が配置された部屋を模した、ユーザにより編集可能な画像である
ことを特徴とする請求項１または請求項２に記載の電子機器。
【請求項５】
前記画像を表示する表示部と、
操作機器から無線で送信される前記操作情報を受信する無線受信部と、をさらに備える
ことを特徴とする請求項１乃至請求項４のいずれか１項に記載の電子機器。
【請求項６】
表示部に画像を表示するステップと、
前記画像上に表示されるカーソルの移動及び選択の操作を示す操作情報に基づいて該画面上の選択位置を示す選択位置情報を検出するステップと、
前記選択位置情報と、記憶部に記憶された、前記画像の所定の領域に対して所定の処理を関連付ける関連付け情報と、に基づいて、該選択位置情報が示す選択位置に関連付け得られた所定の処理を実行するステップと、を含む
ことを特徴とする操作方法。
【発明の詳細な説明】
【技術分野】
【０００１】
本発明の一態様は、複数の機器を操作することができる電子機器等に関する。
【背景技術】
【０００２】
近年、テレビに光ディスクプレイヤーなどの外部接続機器が複数接続されるケースが多数ある。このような場合、ユーザは、複数の外部接続機器の一覧がテキスト表示されたメニュー画面から、所望の外部接続機器として、例えば、光ディスクプレイヤーを選択する。特許文献１及び特許文献２には、ＧＵＩを用いて接続先や選択先を表示する技術が開示されている。
【先行技術文献】
【特許文献】
【０００３】
【特許文献１】特開２００４−３５６７７４号公報
【特許文献２】特開２００６−９４４０６号公報
【発明の概要】
【発明が解決しようとする課題】
【０００４】
しかしながら、上記の従来の方法では、複数の外部接続機器を、迅速かつ正確に、直感的に選択できないことがあった。また、特許文献１及び特許文献２に記載の技術では、実際に接続されている機器の判断をＧＵＩのみで判断することが難しいことがあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
表示部（１１０）に表示された画像の所定の領域に対して所定の処理を関連付ける関連付け情報を記憶するよう構成された記憶部（メモリ１４０）と、
前記画像上に表示されるカーソルの移動及び選択の操作を示す操作情報に基づいて該画面上の選択位置を示す選択位置情報を検出するよう構成された選択位置検出部（制御部１００）と、
前記選択位置情報及び前記関連付け情報に基づいて、該選択位置に関連付け得られた所定の処理を実行する制御部（１００）と、を備える
ことを特徴とする電子機器（ディスプレイ１０、またはリモコン２０）である。
【０００７】
上記構成の電子機器（ディスプレイ１０、またはリモコン２０）によれば、ユーザが、直感的な操作で迅速に、目的とする操作を実行することが可能となる。特に、目的の操作として所定の機器の起動または選択を登録することで、外部接続機器が多数あった場合でも、ユーザは正確に目的とする機器を起動または選択することができる。
【０００８】
本発明の手段２は、
前記記憶部（メモリ１４０）は、前記画像の所定の領域に対して、所定の機器（外部接続機器）を起動する処理を関連付けて記憶している
ことを特徴とする手段１の電子機器（ディスプレイ１０、またはリモコン２０）である。
【０００９】
上記構成の電子機器（ディスプレイ１０、またはリモコン２０）によれば、ユーザが、直感的な操作で迅速に、目的とする機器（外部接続機器）を起動することができる。
【００１０】
本発明の手段３は、
前記表示部（１１０）に表示される前記画像が、該表示部を備える電子機器が配置された部屋の写真である
ことを特徴とする手段１または手段２の電子機器（ディスプレイ１０、またはリモコン２０）である。
【００１１】
上記構成の電子機器（ディスプレイ１０、またはリモコン２０）によれば、実際の部屋の配置に合わせて機器（外部機器）を登録することが可能となり、これにより、さらに操作性を高めることができる。
【００１２】
本発明の手段４は、
前記表示部（１１０）に表示される前記画像が、該表示部を備える電子機器が配置された部屋を模した、ユーザにより編集可能な画像である
ことを特徴とする手段１または手段２の電子機器（ディスプレイ１０、またはリモコン２０）である。
【００１３】
上記構成の電子機器（ディスプレイ１０、またはリモコン２０）によれば、実際の部屋の写真を利用しなくとも、ユーザの編集により実際の部屋に類似した配置または所望の配置にして機器（外部機器）を登録することが可能となり、さらに操作性を高めることができる。
【００１４】
本発明の手段５は、
前記画像を表示する表示部（１１０）と、
操作機器から無線で送信される前記操作情報を受信する無線受信部（１３０）と、をさらに備える
ことを特徴とする上記いずれかの電子機器（ディスプレイ１０）である。
【００１５】
上記構成の電子機器（ディスプレイ１０）によれば、ユーザが、直感的な操作で迅速に、目的とする操作を実行することが可能な、表示機器を備える電子機器（ディスプレイ１０）を構成することができる。
【００１６】
本発明の手段６は、
表示部（１１０）に画像を表示するステップと、
前記画像上に表示されるカーソルの移動及び選択の操作を示す操作情報に基づいて該画面上の選択位置を示す選択位置情報を検出するステップと、
前記選択位置情報と、記憶部（メモリ１４０）に記憶された、前記画像の所定の領域に対して所定の処理を関連付ける関連付け情報と、に基づいて、該選択位置情報が示す選択位置に関連付け得られた所定の処理を実行するステップと、を含む
ことを特徴とする操作方法である。
【００１７】
上記の操作方法によれば、ユーザが、直感的な操作で迅速に、目的とする操作を実行することが可能となる。特に、目的の操作として所定の機器の起動または選択を登録することで、外部接続機器が多数あった場合でも、ユーザは正確に目的とする機器を起動または選択することができる。
【図面の簡単な説明】
【００１８】
【図１】ディスプレイとリモコンとを含むシステムの構成例を示す図。
【図２】ディスプレイの構成例を示す図。
【図３】リモコンの構成例を示す図。
【図４】外部接続機器の登録処理を示すフローチャート。
【図５】操作時のディスプレイでの表示例を示す図。
【図６】操作時のディスプレイでの表示例を示す図。
【図７】操作時のディスプレイでの表示例を示す図。
【図８】操作時のディスプレイでの表示例を示す図。
【図９】ディスプレイのレイヤーの構成例を示す図。
【図１０】操作時のディスプレイでの表示例を示す図。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）ディスプレイ及びリモコンを含むシステムの構成例
（２）動作例
２．実施形態２
３．補足事項
４．本発明の特徴
【００２０】
＜１．実施形態１＞
本発明の実施形態１について、図１乃至図９を参照しながら説明する。
【００２１】
＜（１）ディスプレイ及びリモコンを含むシステムの構成例＞
図１は、本実施形態のディスプレイ及びリモコンを含むシステムの構成例を示す図である。図１に示すように、本実施形態のシステムは、ディスプレイ１０と、このディスプレイを操作するためのリモコン２０を含む。ディスプレイ１０は、具体的には後述するが、表示部１１０を含んで構成される。リモコン２０は、具体的には後述するが、方向ボタン２１０、ボタン２２０、及びメモリーカード挿入口２７０を含んで構成される。
【００２２】
＜ディスプレイ１０＞
図２は、ディスプレイ１０の具体的な構成例を示す図である。図２に示されるように、ディスプレイ１０は、制御部１００、表示部１１０、音声出力部１２０、無線受信部１３０、及びメモリ１４０を含んで構成される。ディスプレイ１０は、所謂テレビであり、これらの機能以外にも、チューナーなどの種々の構成を含んでよいが、周知な構成であり、かつ本実施形態の特徴部分ではないため、それらの説明は省略する。
【００２３】
＜制御部１００＞
制御部１００は、ディスプレイ１０における種々の処理を実行可能に構成された制御手段であり、無線受信部１３０で受信したリモコン２０からの操作情報に基づいて所定の処理を実行するよう構成される。操作情報としては、表示部１１０に表示される画面上のカーソルを移動させるための移動情報、及び選択、決定、またはキャンセルなどを示す選択情報が含まれる。リモコン２０から入力される移動情報は、画面上の絶対座標を示す情報であってもよいし、移動ベクトルを示す情報であってもよい。制御部１００は、リモコン２０から無線受信部１３０を介して受信した写真のデータに基づいて、この写真の画像を表示部１１０に表示することができる。
【００２４】
また、制御部１００は、ユーザの操作により、表示部１１０に表示される画像の所定の領域に対して所定の処理を関連付ける関連付け情報を生成し、この関連付け情報をメモリ１４０に記憶させることができる。そして、制御部１００は、上記のリモコンからの操作情報と、メモリ１４０に記憶された関連付け情報とに基づいて、登録された所定の処理を実行する。これらの処理を含む、制御部１００での具体的な動作については後述する。
【００２５】
＜音声出力部１２０＞
音声出力部１２０は、制御部１００から入力された音声データに基づいて、スピーカーから音声を出力するよう構成される。
【００２６】
＜無線受信部１３０＞
無線受信部１３０は、リモコン２０から無線通信により送信された操作情報を受信し、受信した操作情報を制御部１００に出力するよう構成される。この操作情報の送受信には、ＩＲ（赤外線）通信や無線ＬＡＮ通信などの種々の無線通信の方式を採用可能である。
【００２７】
＜メモリ１４０＞
メモリ１４０は、制御部１００の制御により種々の情報を記憶して読み出すことができるよう構成されており、例えば、表示部１１０に表示される画像の所定の領域に対して所定の処理を関連付ける関連付け情報を記憶するよう構成される。メモリ１４０は、この関連付け情報のための画像である写真のデータを記憶してもよい。
【００２８】
＜リモコン２０＞
図３は、リモコン２０の具体的な構成例を示す図である。図３に示されるように、リモコン２０は、制御部２００、方向ボタン２１０、ボタン２２０、無線送信部２３０、メモリ２４０、ジャイロセンサ２５０、及びメモリーカードＩ／Ｆ２６０を含んで構成される。なお、リモコン２０は、ディスプレイ１０のための専用リモコンであってもよいし、その他の機器にも利用可能な汎用リモコンであってもよい。また、リモコンソフトウェアを実行するスマートフォンなどであってもよい。
【００２９】
＜制御部２００＞
制御部２００は、リモコン２０における種々の処理を実行可能に構成された制御手段であり、方向ボタン２１０、ボタン２２０、またはジャイロセンサ２５０により検出されたユーザによる操作に基づいて所定の処理を実行するよう構成される。制御部２００は、方向ボタン２１０、ボタン２２０、またはジャイロセンサ２５０により、ユーザがいずれかの操作を行ったことを検知すると、この操作に対応する操作情報を生成し、生成した操作情報をディスプレイ１０に送信するよう、無線送信部２３０を制御する。また、制御部２００は、メモリーカードＩ／Ｆ２６０から取得した写真のデータを、無線送信部２３０からディスプレイ１０に対して出力することができる。
【００３０】
＜方向ボタン２１０＞
方向ボタン２１０は、リモコン２０に配置された物理ボタンをユーザが押下したことを検出し、検出した操作に関する情報を制御部２００に出力するよう構成される。方向ボタン２１０には、上下左右を示す４つの機能がそれぞれ割り当てられる。
【００３１】
＜ボタン２２０＞
ボタン２２０は、リモコン２０に配置された物理ボタンをユーザが押下したことを検出し、検出した操作に関する情報を制御部２００に出力するよう構成される。ボタン２２０には、選択を示す機能が割り当てられる。
【００３２】
＜無線送信部２３０＞
無線送信部２３０は、制御部２００の制御により、操作情報をディスプレイ１０に送信するよう構成される。操作情報の送信には、ディスプレイ１０の無線受信部１３０と同じ通信方式が採用される。
【００３３】
＜メモリ２４０＞
メモリ１４０は、制御部２００の制御により種々の情報を記憶して読み出すことができるよう構成される。
【００３４】
＜ジャイロセンサ２５０＞
ジャイロセンサ２５０は、角速度センサを含み、リモコン２０に印加された変位に関する情報を取得し、この情報を制御部２００に出力するよう構成される。
【００３５】
＜メモリーカードＩ／Ｆ２６０＞
メモリーカードＩ／Ｆ（インターフェース）２６０は、メモリーカード挿入口に挿入された、写真を記憶したメモリーカードから写真のデータを取得し、制御部２００に出力するよう構成される。
【００３６】
＜（２）動作例＞
次に、図３乃至図９を参照しながら、本実施形態のディスプレイ１０及びリモコン２０で実行される動作のうち、ディスプレイ１０に接続された光ディスクプレイヤーなどの外部接続機器を操作しやすいように登録し、操作するまでの処理について説明する。まず、ユーザは、以下に説明する、写真と外部接続機器とを関連付けるための登録処理を行う。その後、関連付けられた外部接続機器を、写真を利用したＧＵＩにより、直感的に選択することができるようになる。
【００３７】
図３は、リモコン２０とディスプレイ１０とにより実行される、外部接続機器の登録処理を示すフローチャートである。
【００３８】
＜Ｓ５００〜Ｓ５２０＞
ユーザは、外部接続機器を選択しやすくするための登録処理を実行するための処理を、リモコン２０を操作して実行する。まず、ユーザは、リモコン２０のメモリーカード挿入口２７０にメモリーカードを挿入する（Ｓ５１０）。リモコン２０のメモリーカードＩ／Ｆ２６０は、メモリーカードに記憶された、ディスプレイ１０が配置された部屋の写真を検出すると、写真のデータを制御部２００に出力する。リモコン２０の制御部２００は、ユーザの操作に応答して、無線送信部２３０からこの写真のデータをディスプレイ１０に送信する。ディスプレイ１０の無線受信部１３０は、写真のデータを受信したら、この写真のデータを制御部１００に出力する。制御部１００は、この写真のデータをメモリ１４０に記憶させるとともに、表示部１１０にこの写真の画像を表示させる（Ｓ５２０）。
【００３９】
図５は、ディスプレイ１０が配置された部屋の写真の画像が表示された、ディスプレイ１０の状態を示す図である。図５に示すように、ディスプレイ１０の表示部１１０には、ディスプレイ３００、ドア３１０、光ディスクプレイヤー３２０、別の光ディスクプレイヤー３３０、及び窓３４０の各画像、並びにカーソル３５０が表示される。カーソル３５０は、ユーザのリモコン２０の操作により移動される。
【００４０】
＜Ｓ５３０＞
次に、ユーザは、リモコン２０を操作して、「選択領域設定モード」を選択する操作をする（Ｓ５３０）。このとき、ユーザは、方向ボタン２１０及びボタン２２０を押下し、またはリモコン２０を動かし、方向ボタン２１０、ボタン２２０、及びジャイロセンサ２５０がこれらのユーザ操作を検出することで、この選択領域設定モードを選択する。ディスプレイ１０の制御部１００は、この操作に応答して、動作モードを「選択領域設定モード」にする。図６は、選択領域設定モードになったときの、ディスプレイ１０の状態を示す図である。図６に示すように、表示部１１０の画面左上には、現在の動作モードが「選択領域設定モード」であることを示すモード表示３６０が表示される。
【００４１】
＜Ｓ５４０＞
次に、ユーザは、リモコン２０を操作してカーソル３５０を移動させ、光ディスクプレイヤー３２０を選択する処理をする（Ｓ５４０）。この処理は、まず、リモコン２０のジャイロセンサ２５０が、ユーザによるリモコン２０の操作により生じた変位を検出し、検出された変位に対応する移動情報を、操作情報として無線送信部２３０からディスプレイ１０に送信する。そして、リモコン２０のボタン２２０が、ユーザによる押下を検出して、この操作に対応する選択情報を、操作情報として無線送信部２３０からディスプレイ１０に送信する。これらの操作情報を受信したディスプレイ１０の無線受信部１３０は、これらの操作情報を制御部１００に出力する。そして、制御部１００は、この操作情報に基づいてカーソル３５０を移動させ、光ディスクプレイヤー３２０を選択する処理を実行する。なお、この操作は方向ボタン２１０とボタン２２０により行われてもよい。すなわち、方向ボタン２１０の操作によりカーソルを移動させ、ボタン２２０でカーソル位置を選択する操作でも同じ処理が行われる。
【００４２】
＜Ｓ５５０＞
次に、ユーザは、リモコン２０を操作して、カーソル選択範囲を設定する処理を行う（Ｓ５５０）。カーソル選択範囲とは、部屋に配置された光ディスクプレイヤー３２０を選択できる範囲として設定された写真の画像上の範囲（領域）である。図７は、カーソル選択範囲を設定するときのディスプレイ１０の状態を示す図である。ディスプレイ１０の表示部１１０には、選択範囲を設定するための文字が表示される。ユーザは、リモコン２０を操作して、選択範囲を任意に設定する。
【００４３】
＜Ｓ５６０＞
次に、ユーザは、メモリーカード挿入口からカードを抜いた後、リモコン２０を操作して、「接続先選択モード」を選択する処理を行う（Ｓ５６０）。ディスプレイ１０の制御部１００は、この操作に応答して、動作モードを「接続先選択モード」にする。図８は、接続先選択モードになったときの、ディスプレイ１０の状態を示す図である。図８に示すように、表示部１１０の画面左上には、現在の動作モードが「選択領域設定モード」であることを示すモード表示３６０が表示される。また、画面上には、ディスプレイ１０の入出力端子と、それぞれの端子に対応する機器の名称の一覧が表示される。この一覧は、以下で説明するようにユーザによって編集される。
【００４４】
＜Ｓ５７０＞
次に、ユーザは、カーソル選択範囲に対応する機器が接続された端子を選択し、その端子に接続された機器に対応する名称を、例えばソフトキーボードにより入力する（Ｓ５７０）。ソフトキーボードは、表示部１１０に表示され、ユーザは、リモコン２０のジャイロセンサ２５０とボタン２２０とにより、このソフトキーボードを操作する。この処理により、制御部１００によって、カーソル選択範囲と、上記で選択した端子に接続された外部接続機器と、その機器について登録された名称と、を関連付ける、関連付け情報が生成される。制御部１００は、生成された関連付け情報を、受信した写真の画像データとともに、メモリ１４０に記憶させる。
【００４５】
＜Ｓ５８０〜Ｓ５９０＞
上記の処理で、外部接続機器の登録処理が完了し、表示部１１０には初期画面（図５参照）が表示される（Ｓ５８０）。以上の処理で、外部接続機器の登録処理が終了する（Ｓ５９０）。
【００４６】
上記の処理によって、画像上の所定の領域（位置）と外部接続機器とが関連付けられる。これ以降の操作では、ユーザが、表示部１１０に表示された部屋の写真の画像（図５参照）の、例えば光ディスクプレイヤー３２０をカーソルで選択する操作を行うと、制御部１００は、カーソルの移動及び選択を示す操作情報と、メモリ１４０に記憶された関連付け情報とに基づいて、この光ディスクプレイヤー３２０を選択して起動する処理を実行する。
【００４７】
図９は、ディスプレイ１０の表示部１１０に表示される画像のレイヤー構成を示す図である。図９に示されるように、表示部１１０に表示される画像は、３つのレイヤー４１０、４２０、及び４３０により構成される。レイヤー４１０が最もユーザに近い前面に表示され、レイヤー４３０がユーザから遠い背面に表示される。レイヤー４１０にはカーソルが表示され、レイヤー４２０にはカーソルによる認識範囲が表示され、レイヤー４３０には写真の画像が表示される。
【００４８】
また、ユーザがリモコン２０を操作して所定の位置を選択したときに、外部接続機器を選択するのではなく、所定の処理が実行されてもよい。例えば、画面上のドア３１０（図５参照）が選択されたときには、予め登録されていた別の画像が表示される。また、窓３４０（図５参照）が選択されたときには、制御部１００は、インターネットブラウザを起動して表示部１１０に表示する処理をする。
【００４９】
＜２．実施形態２＞
次に、本発明の実施形態２について、図１０を参照しながら説明する。
【００５０】
本実施形態では、ユーザは、部屋の写真の所定の領域（位置）に外部接続機器を関連付ける代わりに、ユーザが編集するイメージ画像に外部接続機器を関連付ける操作を行う。
【００５１】
ユーザがリモコン２０を操作して、外部接続機器を関連付けるためのイメージ画像生成モードを選択すると、動作モードがイメージ画像生成モードになる。図１０は、このときの表示部１１０での表示を示す図である。図には、生成するイメージ画像に登録するコンテンツの画像が表示される。ユーザは、リモコン２０を操作してこれらのコンテンツの画像をイメージ画像内に配置する操作を行い、これにより、外部接続機器を関連付けるためのイメージ画像が生成される。生成されたイメージ画像は、制御部２００によりメモリ１４０に記憶される。
【００５２】
このようにすることで、実施形態１で用いられた部屋の写真に代えて利用可能なイメージ画像を生成することができる。この後、ユーザは、写真をイメージ画像に置き換えた、実施形態１と同様の外部接続機器の登録処理を実行することにより、イメージ画像の所定の位置に所定の外部接続機器を関連付ける関連付け情報が生成される。これによれば、部屋の写真を準備することなく、イメージ画像と外部接続機器とを関連付けることができ、ユーザはイメージ画像を参照しながら簡単に外部接続機器を選択する操作をすることができる。
【００５３】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００５４】
上記の実施形態では、ディスプレイ１０において種々の処理が行われ、関連付け情報はディスプレイ１０のメモリ１４０に記憶された。これらのディスプレイ１０での処理は、リモコン２０で行われてもよい。このとき、関連付け情報を利用した、表示部１１０に表示された画像上の選択位置と外部接続機器との関連付けは、リモコン２０で実行される。
【００５５】
上記実施形態では、リモコン２０は、方向ボタン２１０、ボタン２２０、及びジャイロセンサ２５０によって操作されたが、これら以外の操作方法により操作されてもよい。例えば、タッチパネルなどによって操作されてもよい。
【００５６】
上記実施形態では、ドアに対しては、表示される画像を変更する処理が関連付けられ、窓に対しては、インターネットブラウザを実行する処理が関連付けられる例を説明したが、これ以外にも種々の操作を関連付けることができる。ただし、部屋の画像と外部接続機器とを関連付けるのは、ユーザが視覚的に操作できるようにすることに非常に効果的である。
【００５７】
また、図５などで説明した表示部での表示はあくまで一例であって、任意の画像と任意の機器操作とを関連付けることも可能である。
【００５８】
＜４．本発明の特徴＞
以上、説明したような構成の電子機器（ディスプレイ１０及びリモコン２０）は、以下のような特徴を備える。
【００５９】
まず、本発明の電子機器（ディスプレイ１０、またはリモコン２０）は、表示部１１０に表示された画像の所定の領域に対して所定の処理を関連付ける関連付け情報を記憶するよう構成された記憶部（メモリ１４０）と、画像上に表示されるカーソルの移動及び選択の操作を示す操作情報に基づいて該画面上の選択位置を示す選択位置情報を検出するよう構成された選択位置検出部（制御部１００）と、選択位置情報及び関連付け情報に基づいて、該選択位置に関連付け得られた所定の処理を実行する制御部（１００）と、を備えることを特徴とする。
【００６０】
上記構成の電子機器（ディスプレイ１０、またはリモコン２０）によれば、ユーザが、直感的な操作で迅速に、目的とする操作を実行することが可能となる。特に、目的の操作として所定の機器の起動または選択を登録することで、外部接続機器が多数あった場合でも、ユーザは正確に目的とする機器を起動または選択することができる。
【００６１】
また、本発明の電子機器（ディスプレイ１０、またはリモコン２０）では、記憶部（メモリ１４０）は、画像の所定の領域に対して、所定の機器（外部接続機器）を起動する処理を関連付けて記憶していることを特徴とする。
【００６２】
上記構成の電子機器（ディスプレイ１０、またはリモコン２０）によれば、ユーザが、直感的な操作で迅速に、目的とする機器（外部接続機器）を起動することができる。
【００６３】
また、本発明の電子機器（ディスプレイ１０、またはリモコン２０）では、表示部１１０に表示される画像が、該表示部を備える電子機器が配置された部屋の写真であることを特徴とする。
【００６４】
上記構成の電子機器（ディスプレイ１０、またはリモコン２０）によれば、実際の部屋の配置に合わせて機器（外部機器）を登録することが可能となり、これにより、さらに操作性を高めることができる。
【００６５】
また、本発明の電子機器（ディスプレイ１０、またはリモコン２０）では、表示部１１０に表示される画像が、該表示部を備える電子機器が配置された部屋を模した、ユーザにより編集可能な画像であることを特徴とする。
【００６６】
上記構成の電子機器（ディスプレイ１０、またはリモコン２０）によれば、実際の部屋の写真を利用しなくとも、ユーザの編集により実際の部屋に類似した配置または所望の配置にして機器（外部機器）を登録することが可能となり、さらに操作性を高めることができる。
【００６７】
また、本発明の電子機器（ディスプレイ１０、またはリモコン２０）は、画像を表示する表示部１１０と、操作機器から無線で送信される操作情報を受信する無線受信部１３０と、をさらに備えることを特徴とする。
【００６８】
上記構成の電子機器（ディスプレイ１０）によれば、ユーザが、直感的な操作で迅速に、目的とする操作を実行することが可能な、表示機器を備える電子機器（ディスプレイ１０）を構成することができる。
【００６９】
また、本発明の操作方法は、表示部１１０に画像を表示するステップと、画像上に表示されるカーソルの移動及び選択の操作を示す操作情報に基づいて該画面上の選択位置を示す選択位置情報を検出するステップと、選択位置情報と、記憶部（メモリ１４０）に記憶された、画像の所定の領域に対して所定の処理を関連付ける関連付け情報と、に基づいて、該選択位置情報が示す選択位置に関連付け得られた所定の処理を実行するステップと、を含むことを特徴とする。
【００７０】
上記の操作方法によれば、ユーザが、直感的な操作で迅速に、目的とする操作を実行することが可能となる。特に、目的の操作として所定の機器の起動または選択を登録することで、外部接続機器が多数あった場合でも、ユーザは正確に目的とする機器を起動または選択することができる。
【産業上の利用可能性】
【００７１】
本発明は、複数の外部接続機器を視覚的に操作するシステムなどとして好適に適用される。
【符号の説明】
【００７２】
１０…ディスプレイ
２０…リモコン
１００…制御部
１１０…表示部
１２０…音声出力部
１３０…無線受信部
１４０…メモリ
２００…制御部
２１０…方向ボタン
２２０…ボタン
２３０…無線送信部
２４０…メモリ
２５０…ジャイロセンサ
２６０…メモリーカードＩ／Ｆ
２７０…メモリーカード挿入口
３００…ディスプレイ
３１０…ドア
３２０、３３０…光ディスクプレイヤー
３４０…窓
３５０…カーソル
３６０…モード表示
４１０〜４３０…レイヤー
【図１】
2016021140.tif 000003
【図２】
2016021140.tif 000004
【図３】
2016021140.tif 000005
【図４】
2016021140.tif 000006
【図５】
2016021140.tif 000007
【図６】
2016021140.tif 000008
【図７】
2016021140.tif 000009
【図８】
2016021140.tif 000010
【図９】
2016021140.tif 000011
【図１０】
2016021140.tif 000012